(57)【要約】【課題】吹出し口に設けた風向ルーバーへの結露を防止すること。【解決手段】空気調和機は、吹出し口に案内された空気の流れを上下左右に方向付ける回動可能な風向ルーバーアセンブリを備え、該アセンブリは、上下風向ルーバーと左右風向ルーバーとを有し、該上下風向ルーバーは、吹出し口における前面側となる上段羽根板と、前記吹出し口における背面側となる下段羽根板と、前記上段羽根板と前記下段羽根板との間に配設された中段羽根板の三段羽根板により構成され、左右風向ルーバーは、上段羽根板と中段羽根板との間の上側左右羽根と、下段羽根板と中段羽根板との間の下側左右羽根と、を備え、上側左右羽根と下側左右羽根の、少なくとも中央よりの２枚の羽根の形状を他の左右羽根の形状と異ならせる。【選択図】図１
2018091585.tif 000002
【特許請求の範囲】
【請求項１】
空気調和機本体の吹出し口に、風向を上下に偏向する上下羽根ならびに風向を左右に偏向する左右羽根とを設けて、風向を変更する空気調和機であって、前記空気調和機は、前記吹出し口に案内された空気の流れを上下左右に方向付ける回動可能な風向ルーバーアセンブリと、を備え、前記風向ルーバーアセンブリは、上下風向ルーバーと左右風向ルーバーとを有し、前記上下風向ルーバーは、前記吹出し口における前面側となる上段羽根板と、前記吹出し口における背面側となる下段羽根板と、前記上段羽根板と前記下段羽根板との間に配設された中段羽根板の三段羽根板により構成され、それぞれの羽根板が独立して上下方向に回動するよう構成され、前記左右風向ルーバーは、前記上段羽根板と前記中段羽根板との間の第１吹出し口に設けられた上側左右羽根と、前記下段羽根板と前記中段羽根板との間の第２吹出し口に設けられた下側左右羽根と、を備え、前記上側左右羽根と下側左右羽根の、少なくとも前記風向ルーバーアセンブリの中央よりの２枚の羽根の形状を他の左右羽根の形状と異ならせた異型とすることを特徴とする、空気調和機。
【請求項２】
前記中央よりの２枚の異型の羽根は、風の流れる方向から見て、略十文字の形状をなすことを特徴とする、請求項１記載の空気調和機。
【請求項３】
前記異型の羽根は、少なくとも下側左右羽根に設けたことを特徴とする、請求項１あるいは２に記載の空気調和機。
【発明の詳細な説明】
【技術分野】
【０００１】
本発明は、室内空気を吸込んで熱交換したのちに、吹出し口から前記空気を吹出して室内の空調を行う空気調和機に関するものである。
【背景技術】
【０００２】
従来、この種の空気調和機は、空気調和機本体の吹出し口に風向を上下に偏向する上下羽根ならびに風向を左右に偏向する左右羽根を設け、使用者の所望の風向になるように、あるいは使用者が快適な空調になるように制御するものであった（例えば、特許文献１参照）。
【０００３】
図５は、従来の空気調和機の吹出し口の構造をあらわす、風向ルーバーアセンブリの縦断面図である。
【０００４】
同図に示すように、熱交換器（図示せず）で熱交換された空気が送風機１０８によってスタビライザー１０７とリアガイダ１０６との間に設けられた吹出し流路を通り、その最下流部の出口である吹出し口から吹出される。
【０００５】
このとき、吹出す風の風向を制御するために、上下方向の風向制御用に上下風向ルーバー１０４、左右方向の風向制御用に左右風向ルーバー１０１が設けられている。
【先行技術文献】
【特許文献】
【０００６】
【特許文献１】特開平１１−１５９８５１号公報
【発明の概要】
【発明が解決しようとする課題】
【０００７】
しかしながら近年、空気調和機の快適性や省エネ性にかかる要請はますます高くなっており、この要請に応えるため、被空調空間を空調するために空気調和機の室内機から吹出す風の制御をきめ細かく実施する必要があり、吹出し口の構造は複雑化する傾向にある。
【０００８】
特に、吹出し口に設ける風向偏向羽根の多数化によって、従来は課題にならなかったような、左右風向偏向羽根への結露が生じる可能性があった。
【０００９】
本発明は、前記従来の課題を解決するためもので、左右風向偏向羽根の結露を防ぎ、さらに送風性能向上を図る事を目的としている。
【課題を解決するための手段】
【００１０】
前記従来の課題を解決するために、本発明の空気調和機は、空気調和機本体の吹出し口に、風向を上下に偏向する上下羽根ならびに風向を左右に偏向する左右羽根とを設けて、風向を変更する空気調和機であって、前記空気調和機は、前記吹出し口に案内された空気の流れを上下左右に方向付ける回動可能な風向ルーバーアセンブリと、を備え、前記風向ルーバーアセンブリは、上下風向ルーバーと左右風向ルーバーとを有し、前記上下風向ルーバーは、前記吹出し口における前面側となる上段羽根板と、前記吹出し口における背面側となる下段羽根板と、前記上段羽根板と前記下段羽根板との間に配設された中段羽根板の三段羽根板により構成され、それぞれの羽根板が独立して上下方向に回動するよう構成され、前記左右風向ルーバーは、前記上段羽根板と前記中段羽根板との間の第１吹出し口
に設けられた上側左右羽根と、前記下段羽根板と前記中段羽根板との間の第２吹出し口に設けられた下側左右羽根と、を備え、前記上側左右羽根と下側左右羽根の、少なくとも前記風向ルーバーアセンブリの中央よりの２枚の羽根の形状を他の左右羽根の形状と異ならせた異型としたものである。
【００１１】
これによって、多数化した風向偏向羽根により複雑な吹出し風の流れとなって風向ルーバーから流れが剥離するなどして乱れようとするのを制御して、風向ルーバー周りの風の流れを滑らかにし、羽根への結露を防止するものである。
【発明の効果】
【００１２】
本発明は、多数の羽根により木目細かい空気調和を実現しつつ、羽根に結露することのない、空気調和機を提供するものである。
【図面の簡単な説明】
【００１３】
【図１】（ａ）本発明の実施の形態１における異型の左右風向ルーバーの側面図（ｂ）本発明の実施の形態１における異型の左右風向ルーバーの正面図（ｃ）本発明の実施の形態１における異型の左右風向ルーバーの平面図
【図２】（ａ）本発明の実施の形態１における通常の左右風向ルーバーの側面図（ｂ）本発明の実施の形態１における通常の左右風向ルーバーの正面図（ｃ）本発明の実施の形態１における通常の左右風向ルーバーの平面図
【図３】本発明の実施の形態１における風向ルーバーアセンブリの縦断面図
【図４】本発明の実施の形態１における風向ルーバーアセンブリの右側下方から見た斜視図
【図５】従来の空気調和機の吹出し口の風向ルーバーアセンブリの縦断面図
【発明を実施するための形態】
【００１４】
第１の発明は、空気調和機本体の吹出し口に、風向を上下に偏向する上下羽根ならびに風向を左右に偏向する左右羽根とを設けて、風向を変更する空気調和機であって、前記空気調和機は、前記吹出し口に案内された空気の流れを上下左右に方向付ける回動可能な風向ルーバーアセンブリと、を備え、前記風向ルーバーアセンブリは、上下風向ルーバーと左右風向ルーバーとを有し、前記上下風向ルーバーは、前記吹出し口における前面側となる上段羽根板と、前記吹出し口における背面側となる下段羽根板と、前記上段羽根板と前記下段羽根板との間に配設された中段羽根板の三段羽根板により構成され、それぞれの羽根板が独立して上下方向に回動するよう構成され、前記左右風向ルーバーは、前記上段羽根板と前記中段羽根板との間の第１吹出し口に設けられた上側左右羽根と、前記下段羽根板と前記中段羽根板との間の第２吹出し口に設けられた下側左右羽根と、を備え、前記上側左右羽根と下側左右羽根の、少なくとも前記風向ルーバーアセンブリの中央よりの２枚の羽根の形状を他の左右羽根の形状と異ならせた異型とすることにより風の流れを滑らかにし、複雑多数化する風向ルーバーにおいても、結露防止をすることができる。
【００１５】
第２の発明は、前記中央よりの２枚の異型の羽根は、風の流れる方向から見て、略十文字の形状とすることにより、風の乱れの発生しやすい、風向ルーバーアセンブリの中央付近の風の流れを滑らかにし、複雑多数化する風向ルーバーにおいても、結露防止をすることができる。
【００１６】
第３の発明は、前記異型の羽根は、少なくとも下側左右羽根に設けることにより、特に風の乱れの発生しやすい、吹出し口における背面側となる風向ルーバーアセンブリの中央付近の風の流れを滑らかにし、複雑多数化する風向ルーバーにおいても、結露防止をすることができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における空気調和機の異型の左右風向ルーバーの図である。図２は、本発明の実施の形態１における空気調和機の通常の左右風向ルーバーの図である。図３は、左右風向ルーバーを設けた風向ルーバーアセンブリの縦断面図である。
【００１９】
また、図４は図３に相当する部分を右下方から見た斜視図である。
本実施の形態１の風向ルーバーは、図３に示すように熱交換器（図示せず）の風下側に設けた送風機８によってスタビライザー７と下段羽根板６との間に設けられた吹出し流路を通り、その最下流部の出口である吹出し口から吹出される。
【００２０】
このとき、吹出す風の風向を制御するために、上下方向の風向制御用のルーバーと左右方向の風向制御用に左右風向ルーバーとが設けられているが、本実施の形態１では、従来よりも木目細かな風向制御をするために、上下方向の風向制御用のルーバーを、上段羽根板４と中段羽根板５と、下段羽根板６との３枚で構成しており、前面側か順に上段羽根板４と中段羽根板５と、下段羽根板６と配置されている。
【００２１】
また、左右方向の風向制御用の左右風向ルーバーを、上段羽根板４と中段羽根板５との間と、中段羽根板５と下段羽根板６との間に、回動軸１０により軸支されて設けられ、それぞれ、上側左右羽根３と、下側左右羽根１、２としている。
【００２２】
また、中段羽根板５は風向ルーバーアセンブリの中央付近に設けられた羽根板支持部９によって軸支されて自由に回動するようになっている。
【００２３】
これら上下方向の風向制御用のルーバーと左右方向の風向制御用の左右風向ルーバーは、それぞれ独立して回動し、従来の空気調和機にはできない木目細かな空調を実施することができる。
【００２４】
また、少なくとも下側左右羽根の中央よりの下側左右羽根１は、その他の下側左右羽根２と異なり、正面視で略十文字形の異型のルーバーの形状にしている。
【００２５】
異型の下側左右羽根１は主たる左右風向を制御する左右風向制御面１１と、この面に鉛直に交わって設けられる風向補助制御面１２で構成される。
【００２６】
また、異型でない左右風向ルーバーは主たる左右風向を制御する左右風向制御面２１を設けている。  上記のような風向ルーバーアセンブリを空気調和機の室内機の吹出し口に設け運転した場合、羽根板支持部９の存在によって、その下流側の吹出し空気の流れが乱され、特に左右風向ルーバーを左右に吹き分けるようにハの字の姿勢にした場合に顕著に乱れる。
【００２７】
このような空気の流れの乱れは冷房運転と暖房運転のいずれでも生じる可能性があるが、特に冷房時において、空気の流れの乱れは羽根への結露を生じる可能性がある。
【００２８】
しかしながら、上記のように少なくとも下側左右羽根の中央よりの下側左右羽根１を、その他の下側左右羽根２と異なり、正面視で略十文字形の異型の羽根の形状にすることで、顕著に乱れやすい羽根板支持部９の下流側の風の流れを整流し、乱れを抑えることができ、羽根への結露を防止することができる。
【００２９】
なお、上記の実施の形態では、異型の左右風向ルーバーを下側左右羽根の中央よりに設けたものを説明したが、この場合に限らず、上側左右羽根の中央よりに設けてもよいし、全ての左右羽根を異型の左右風向ルーバーにしてもよい。
【産業上の利用可能性】
【００３０】
以上のように、本発明の空気調和機は左右羽根の一部を、正面視で略十文字形の異型のものにしたので、羽根の周囲の風の流れを整流することができ、その結果、羽根への露付きを防止することができるので、一般的な空気調和機や自動車用空気調和機の吹出し口等に利用することができる。
【符号の説明】
【００３１】
１  異型の左右風向ルーバー（下側左右羽根）
２  通常の左右風向ルーバー（下側左右羽根）
３  上側左右羽根
４  上段羽根板
５  中段羽根板
６  下段羽根板
７  スタビライザー
８  送風機
９  羽根板支持部
１０  回動軸
１１  左右風向制御面
１２  風向補助制御面
２１  左右風向制御面
【図１】
2018091585.tif 000003
【図２】
2018091585.tif 000004
【図３】
2018091585.tif 000005
【図４】
2018091585.tif 000006
【図５】
2018091585.tif 000007